【手続補正書】
【提出日】平成27年12月3日(2015.12.3)
【手続補正１】
【補正対象書類名】明細書
【補正対象項目名】０００８
【補正方法】変更
【補正の内容】
【０００８】
本発明の目的は、煙草バイオマスからオイル抽出効率およびそのオイルの処理効率を高め、それがバイオ燃料として使用するのに適したオイルを得ることである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  中国特許出願公開第１０２１７８３４６号明細書  
（特許文献２）  米国特許第３，４０８，３７４号明細書
（特許文献３）  米国特許第４，５０６，６８２号明細書
（特許文献４）  米国特許出願公開第２００８／０１５５８８８号明細書
（特許文献５）  米国特許出願公開第２０１０／０２４２３４６号明細書
（特許文献６）  米国特許第７，５５３，９８２号明細書
（特許文献７）  米国特許第７，６３７，９６９号明細書
（特許文献８）  米国特許出願公開第２００３／０１６７６８１号明細書
（特許文献９）  米国特許出願公開第２００４／０１２３５２０号明細書
（特許文献１０）  米国特許出願公開第２００８／０２２２９５１号明細書
（特許文献１１）  米国特許出願公開第２００９／０２３４１４６号明細書
（特許文献１２）  米国特許出願公開第２０１０／００３７３５０号明細書
（特許文献１３）  米国特許出願公開第２０１０／００５８６５５号明細書
（特許文献１４）  米国特許出願公開第２０１０／０１８４１３０号明細書
（特許文献１５）  米国特許出願公開第２０１０／０２３３７６１号明細書
（特許文献１６）  米国特許出願公開第２０１０／０２５７７７７号明細書
（特許文献１７）  欧州特許出願公開第０４８６２１４号明細書
（特許文献１８）  国際公開第２０１３／０８５８７０号
（非特許文献）
（非特許文献１）  ＣＮ  １０２１７８３４６，Ｚｈｅｎｇ，Ｊ．，ｅｔ  ａｌ．，Ｐｒｏｄｕｃｔｉｏｎ  ｍｅｔｈｏｄ  ｆｏｒ  ｅｘｔｒａｃｔｉｎｇ  ａｂｓｏｌｕｒｅ  ｏｉｌ  ｏｒ  ｔｏｂａｃｃｏ  ｌｅａｖｅｓ，９／１４／２０１１．Ｅｎｇｌｉｓｈ  ｔｒａｎｓｌａｔｉｏｎ，４  ｐａｇｅｓ
（非特許文献２）  Ｅｕｒｏｐｅａｎ  Ｓｅａｒｃｈ  Ｒｅｐｏｒｔ；Ｍａｉｌｅｄ  ２０１５−０５−２７  ｆｏｒ  ｔｈｅ  ｃｏｒｒｅｓｐｏｎｄｉｎｇ  ＥＰ  Ａｐｐｌｉｃａｔｉｏｎ  Ｎｏ．ＥＰ１２８５５６６０．２
（非特許文献３）  Ｋｏｉｗａｉ，Ａ．，ｅｔ  ａｌ．，"Ｔｈｅ  Ｆａｔｔｙ  Ａｃｉｄ  Ｃｏｍｐｏｓｉｔｉｏｎ  ｏｆ  Ｓｅｅｄｓ  ａｎｄ  Ｌｅａｖｅｓ  ｏｆ  Ｎｉｃｏｔｉａｎａ  Ｓｐｅｃｉｅｓ，"Ｐｈｙｔｏｃｈｅｍｉｓｔｒｙ，１９８３，Ｖｏｌ．２２，Ｎｏ．６，ｐｐ．１４０９−１４１２
（非特許文献４）  Ｄｕｒｒｅｔｔ，Ｔ．，ｅｔ  ａｌ．，"Ｐｌａｎｔ  Ｔｒｉａｃｙｌｇｌｙｃｅｒｏｌｓ  ａｓ  Ｆｅｅｄｓｔｏｃｋｓ  ｆｏｒ  ｔｈｅ  Ｐｒｏｄｕｃｔｉｏｎ  ｏｆ  Ｂｉｏｆｕｅｌｓ．"Ｔｈｅ  Ｐｌａｎｔ  Ｊｏｕｒｎａｌ，２００８，Ｖｏｌ．５４，Ｎｏ．４，ｐｐ．５９３−６０７．
（非特許文献５）  Ｄａｔａｂａｓｅ  ＷＰＩ，Ｗｅｅｋ  ２０１１６９，Ｔｈｏｍｓｏｎ  Ｓｃｉｅｎｔｉｆｉｃ，Ｌｏｎｄｏｎ，ＧＢ：ＣＮ１０２１７８３４６，Ｓｅｐｔｅｍｂｅｒ  ２０１１，２  ｐａｇｅｓ．
（非特許文献６）  Ａｎｄｒｉａｎｏｖ，Ｖ．，ｅｔ  ａｌ．，"Ｔｏｂａｃｃｏ  ａｓ  ａ  Ｐｒｏｄｕｃｔｉｏｎ  Ｐｌａｔｆｏｒｍ  ｆｏｒ  Ｂｉｏｆｕｅｌ：  Ｏｖｅｒｅｘｐｒｅｓｓｉｏｎ  ｏｆ  Ａｒａｂｉｄｏｐｓｉｓ  ＤＧＡＴ  ａｎｄ  ＬＥＣ２  Ｇｅｎｅｓ  Ｉｎｃｒｅａｓｅｓ  Ａｃｃｕｍｕｌａｔｉｏｎ  ａｎｄ  Ｓｈｉｆｔｓ  ｔｈｅ  Ｃｏｍｐｏｓｉｔｉｏｎ  ｏｆ  Ｌｉｐｉｄｓ  ｉｎ  Ｇｒｅｅｎ  Ｂｉｏｍａｓｓ，"Ｐｌａｎｔ  Ｂｉｏｔｅｃｈｎｏｌｏｇｙ  Ｊｏｕｒｎａｌ（２０１０），Ｖｏｌ．８，ＮＯ．３．ｐｐ．２７７−２８７
（非特許文献７）  Ｏｆｆｉｃｅ  Ａｃｔｉｏｎ  ｉｓｓｕｅｄ  ｉｎ  ｃｏｒｒｅｓｐｏｎｄｉｎｇ  ＣＮ  Ａｐｐｌｎ．Ｎｏ．２０１２８００６５９０４．１，ｄａｔｅｄ  Ｍａｒｃｈ  ３０，２０１５，ｗ／Ｅｎｇｌｉｓｈ  Ａｂｓｔｒａｃｔ  ａｔｔａｃｈｅｄ．
（非特許文献８）  Ｕｓｔａ，Ｎ．，  Ｕｓｅ  ｏｆ  ｔｏｂａｃｃｏ  ｓｅｅｄ  ｏｉｌ  ｍｅｔｈｙｌ  ｅｓｔｅｒ  ｉｎ  ａ  ｔｕｒｂｏｃｈａｒｇｅｄ  ｉｎｄｉｒｅｃ  ｉｎｊｅｃｔｉｏｎ  ｄｉｅｓｅｌ  ｅｎｇｉｎｅ，２００５，Ｂｉｏｍａｓｓ  &  Ｂｉｏｅｎｅｒｇｙ，ｖｏｌ．２８，ｐｐ．７７−８６
（非特許文献９）  Ｓｔａｎｉｓａｖｌｊｅｖｉｃ，Ｉ．Ｔ．，ｅｔ  ａｌ．，Ｃｏｍｐａｒｉｓｏｎ  ｏｆ  ｔｅｃｈｎｉｑｕｅｓ  ｆｏｒ  ｔｈｅ  ｅｘｔｒａｃｔｉｎ  ｏｆ  ｔｏｂａｃｃｏ  ｓｅｅｄ  ｏｉｌ，２００９，Ｅｕｒ．Ｊ．Ｌｉｐｉｄ．Ｓｃｉ．Ｔｅｃｈｎｏｌ．，ｖｏｌ．１１，ｐｐ．５１３−５１８
（非特許文献１０）  Ｉｎｔｅｒｎａｔｉｏｎａｌ  Ｓｅａｒｃｈ  Ｒｅｐｏｒｔ；  Ｍａｉｌｅｄ  ｏｎ  ２０１３−０２−２７  ｆｏｒ  ｔｈｅ  ｒｅｌａｔｅｄ  ＰＣＴ  Ａｐｐｌｉｃａｔｉｏｎ  Ｎｏ．ＰＣＴ／ＵＳ２０１２／０６７６８７．
（非特許文献１１）  Ｕｓｔａ，Ｎ．，ｅｔ  ａｌ．，"Ｐｒｏｐｅｒｔｉｅｓ  ａｎｄ  Ｑｕａｌｉｔｙ  Ｖｅｒｉｆｉｃａｔｉｏｎ  ｏｆ  Ｂｉｏｄｉｅｓｅｌ  Ｐｒｏｄｕｃｅｄ  ｆｒｏｍ  Ｔｏｂａｃｃｏ  Ｓｅｅｄ  Ｏｉｌ，"Ｅｎｅｒｇｙ  Ｃｏｎｖｅｒｓｉｏｎ  ａｎｄ  Ｍａｎａｇｅｍｅｎｔ，Ｍａｙ  ２０１１，Ｖｏｌ．５２，Ｎｏ．５，ｐｐ．２０３１−２０３９．
（非特許文献１２）  Ｖｅｌｊｋｏｖｉｃ，Ｖ．，ｅｔ  ａｌ．，"Ｂｉｏｄｉｅｓｅｌ  Ｐｒｏｄｕｃｔｉｏｎ  ｆｒｏｍ  Ｔｏｂａｃｃｏ（Ｎｉｃｏｔｉａｎａ  ｔａｂａｃｕｍ  Ｌ．）Ｓｅｅｄ  Ｏｉｌ  ｗｉｔｈ  ａ  Ｈｉｇｈ  Ｃｏｎｔｅｎｔ  ｏｆ  Ｆｒｅｅ  Ｆａｔｔｙ  Ａｃｉｄｓ，"Ｆｕｅｌ，Ｄｅｃｅｍｂｅｒ  ２００６，Ｖｏｌ．８５，Ｎｏ．１７−１８，ｐｐ．２６７１−２６７５．
（非特許文献１３）  Ａｎｄｒｉａｎｏｖ，Ｖ．，ｅｔ  ａｌ．，"Ｔｏｂａｃｃｏ  ａｓ  ａ  Ｐｒｏｄｕｃｔｉｏｎ  Ｐｌａｔｆｏｒｍ  ｆｏｒ  Ｂｉｏｆｕｅｌ：  Ｏｖｅｒｅｘｐｒｅｓｓｉｏｎ  ｏｆ  Ａｒａｂｉｄｏｐｓｉｓ  ＤＧＡＴ  ａｎｄ  ＬＥＣ３  ４  Ｇｅｎｅｓ  Ｉｎｃｒｅａｓｅｓ  Ａｃｃｕｍｕｌａｔｉｏｎ  ａｎｄ  Ｓｈｉｆｔｓ  ｔｈｅ  Ｃｏｍｐｏｓｉｔｉｏｎ  ｏｆ  Ｌｉｐｉｄｓ  ｉｎ  Ｇｒｅｅｎ  Ｂｉｏｍａｓｓ，"Ｐｌａｎｔ  Ｂｉｏｔｅｃｈｎｏｌｏｇｙ  Ｊｏｕｒｎａｌ（２００９），８，ｐｐ．１−１１．
（非特許文献１４）  Ｈｉｌｌ，Ｊ．，ｅｔ  ａｌ．，"Ｅｎｖｉｒｏｎｍｅｎｔａｌ，ｅｃｏｎｏｍｉｃ，ａｎｄ  ｅｎｅｒｇｅｔｉｃ  ｃｏｓｔｓ  ａｎｄ  ｂｅｎｅｆｉｔｓ  ｏｆ  ｂｉｏｄｉｅｓｅｌ  ａｎｄ  ｅｔｈａｎｏｌ  ｂｉｏｆｕｅｌｓ，"Ｐｒｏｃｅｅｄｉｎｇｓ  ｏｆ  ｔｈｅ  Ｎａｔｉｏｎａｌ  Ａｃａｄｅｍｙ  ｏｆ  Ｓｃｉｅｎｃｅｓ  ｏｆ  ｔｈｅ  Ｕｎｉｔｅｄ  Ｓｔａｔｅｓ  ｏｆ  Ａｍｅｒｉｃａ，Ｊｕｌｙ  ２５，２００６，Ｖｏｌ．１０３，Ｎｏ．３０，ｐｐ．１１２０６−１１２１０．